(57)【特許請求の範囲】
【請求項１】
支持部材の上部で回転自在に支持された操作板と、
前記操作板の上部に配置され、前記操作板と同一中心で回転自在な案内板と、
前記案内板の上部に配置され、互いに接することでホールケーキを載置する円形の載置面を形成するとともに、該ホールケーキから切断されるカットケーキの数に対応して分割される複数の分離板と、を備え、
前記操作板は、複数の前記分離板の中心部をそれぞれ案内する弧状の第１案内溝を放射状に有し、
前記案内板は、複数の前記分離板の中心部分をそれぞれ径方向に案内した後、所定位置から外周に向かって弧状に案内する第２案内溝と、複数の前記分離板の外側部分の一側方をそれぞれ径方向に案内する直線状の第３案内溝と、を放射状に有し、
複数の前記分離板は、前記第１案内溝と前記第２案内溝とに係合する中心側係合部と、前記第３案内溝に係合する外側係合部と、を有している、ことを特徴とするケーキ分離用回転台。
【請求項２】
前記分離板は、互いに接することで円形の載置面を形成する扇形に形成されており、
前記中心側係合部及び前記外側係合部は、前記分離板の扇形の一辺の端部に配置され、
前記中心側係合部は、前記分離板の中心から前記一辺の長さの１０〜３０％の範囲の位置に配置され、
前記外側係合部は、前記分離板の中心位置から前記一辺の長さの６０〜８０％の範囲の位置に配置されている、請求項１に記載のケーキ分離用回転台。
【請求項３】
前記中心側係合部は、前記第１案内溝と前記第２案内溝とに挿通されて係合する案内軸部と、前記第１案内溝から突出する先端部の係止部と、を有し、
前記係止部は、前記第１案内溝及び前記第２案内溝の幅寸法よりも大きい寸法に形成されている、請求項１又は２に記載のケーキ分離用回転台。
【請求項４】
前記第１案内溝及び前記第２案内溝は、前記操作板の中心側に前記係止部を挿通させる大きさに形成された挿通部を有している、請求項３に記載のケーキ分離用回転台。
【請求項５】
前記操作板は、前記案内板を所定の回転角度位置で保持する保持機構をさらに備えている、請求項１〜３のいずれか１項に記載のケーキ分離用回転台。
【請求項６】
前記保持機構は、前記操作板に設けられた押圧部材と、前記案内板に設けられた受け部とを備え、
前記押圧部材は、前記受け部を押圧するボールと、前記ボールを前記受け部に向けて付勢する付勢部材と、を有し、
前記受け部は、前記ボールを保持する凹部を有している、請求項５に記載のケーキ分離用回転台。
【請求項７】
ホールケーキを切断したカットケーキを分離するケーキ分離方法であって、
案内板の上部に載置された、互いに接することでホールケーキを載置する円形の載置面を形成するとともに、該ホールケーキから切断されるカットケーキの数に対応して複数に分割された扇形の分離板の上部で前記ホールケーキを等分に切断し、
切断された前記カットケーキが載ったそれぞれの前記分離板を前記案内板に形成された溝に沿って径方向に外方へ移動させ、前記案内板の上部で所定位置まで径方向に移動させたそれぞれの前記分離板を、該分離板の一側方の外側部分の所定位置を支点にして中心部分を前記案内板に形成された溝に沿って外周に向かって弧状に同一方向に回動させることで、複数の前記分離板を前記案内板の外周部分に広げて配置する、ことを特徴とするケーキ分離方法。
【請求項８】
前記案内板の下部に、前記分離板の中心部分を前記案内板の中央部分から外周部分に向けて案内する案内溝を設けた操作板を設け、
前記操作板を回転させて前記分離板の中心部分を該操作板の案内溝に沿って移動させることによって、該分離板を径方向外方に向けて移動させた後、中心部分を径方向外方に向けて回動させて該案内板の周囲に広げて配置するようにした、請求項７に記載のケーキ分離方法。
【発明の詳細な説明】
【技術分野】
【０００１】
本発明は、ホールケーキを切断したカットケーキを適切に分離するケーキ分離用回転台とそのケーキ分離方法に関する。
【背景技術】
【０００２】
ケーキの製造工程として、焼きあがった円柱形のスポンジケーキにクリームを塗り、ホールケーキを製造する工程がある。また、このホールケーキを所定の大きさに切断する切断工程がある。この切断工程を効率よく行うために、作業者はケーキ製造用回転台を利用している。ケーキ製造用回転台は、ホールケーキを載置する回転板を有し、この回転板の上にホールケーキを載せ、手動で回転させてホールケーキを等分の大きさに切断することができる。ケーキ製造用回転台を使用することにより、作業者は身体を移動させずにケーキを切断することができる。
【０００３】
このようにして切断された各カットケーキは、各切り分けた扇状のカットケーキを作業者がヘラまたは取り出し用フォークなどを用いてそれぞれケーキ製造用回転台上で分離させ、例えばベルトコンベア上に移し替えられる。ベルトコンベア上に移された各カットケーキは、カットケーキの外周側面に対して帯状のフィルムを巻きつける包装作業、フルーツなどを盛り付ける飾り付け作業等が行われる。
【０００４】
しかし、従来のケーキ製造用回転台では、フィルムの巻き付けなどの各種加工作業を行うためには、カットケーキをケーキ製造用回転台上で互いに分離させる作業、ならびにベルトコンベア上に移し替える作業（移し替え作業）が必要となり作業に時間がかかるという問題がある。さらには、これら移し替え作業を行う装置の設置スペースや、カットケーキの移動先となるベルトコンベアの設置スペースが必要となるという問題もある。
【０００５】
そこで、本出願人は、カットケーキのベルトコンベアへの移し替え作業を必要とすることなく、回転板の上で切断された各カットケーキに対して各種加工作業を行うことができるケーキ製造用回転台を出願した（特許文献１参照）。このケーキ製造用回転台は、円形の操作板の上部に円形の配置板を置き、その上部にカットケーキと同数に分割された扇形の回転移動台が互いに接するようにして円形として配置している。そして、操作板を回転させることで、回転移動台が外周の一端部を支点にして中心部分が案内板のフレームに沿って弧を描いて回転し、それぞれの回転移動台が案内板の周囲に広がって配置されるようにしている。
【先行技術文献】
【特許文献】
【０００６】
【特許文献１】特開２０１５−１４２５２７号公報
【発明の概要】
【発明が解決しようとする課題】
【０００７】
ところで、ホールケーキをカットケーキに分割する場合、上記先行技術では６等分にしているが、例えば、８等分、１０等分等、さらに多くの数に分割したい場合がある。
【０００８】
しかし、上記ケーキ製造用回転台は、切断された各カットケーキを載せた回転移動台の外周部の一端を支点にして中心部分を弧状に外方へ回動させて広げるようにしている。そのため、同一の大きさの案内板上で、８等分や１０等分したカットケーキを載せた回転移動台を弧状に外方へ回動させて広げた場合、各カットケーキが案内板の周囲に広がる前に、それぞれのカットケーキが大きく重なった状態となってしまう。
【０００９】
これは、ホールケーキの半径が同じで有れば、カットケーキの切断した各辺の長さは同じで有り、６等分したカットケーキを広げて中央部分にできる６角形の空間と、８等分して中央部分にできる８角形の空間の各辺が同一長さであるからである。仮に、６分割と同様に各カットケーキが当接しないように広げようとすると、配置板が非常に大きくなる。配置板（案内板）が大きくなると、ホールケーキの製造時にスポンジケーキにクリームを塗る作業が難しくなるとともに、多くの作業スペースが必要となり、効率的な作業が難しくなるおそれがある。
【課題を解決するための手段】
【００１０】
そこで、本出願人は、鋭意工夫して、案内板を大きくせずに適切な大きさのままで、ホールケーキをより多くの数に切断した各カットケーキを適切に分離できるケーキ分離用回転台とそのケーキ分離方法を発明した。
【００１１】
本発明に係るケーキ分離用回転台は、支持部材の上部で回転自在に支持された操作板と、前記操作板の上部に配置され、前記操作板と同一中心で回転自在な案内板と、前記案内板の上部に配置され、互いに接することでホールケーキを載置する円形の載置面を形成するとともに、該ホールケーキから切断されるカットケーキの数に対応して分割される複数の分離板と、を備え、前記操作板は、複数の前記分離板の中心部をそれぞれ案内する弧状の第１案内溝を放射状に有し、前記案内板は、複数の前記分離板の中心部分をそれぞれ径方向に案内した後、所定位置から外周に向かって弧状に案内する第２案内溝と、複数の前記分離板の外側部分の一側方をそれぞれ径方向に案内する直線状の第３案内溝と、を放射状に有し、複数の前記分離板は、前記第１案内溝と前記第２案内溝とに係合する中心側係合部と、前記第３案内溝に係合する外側係合部と、を有している。この明細書及び特許請求の範囲の書類中における「径方向」は、平面視において中心から広がる方向であり、「周方向」は、平面視において外周部分の周方向をいう。
【００１２】
この構成により、操作板を回転させると、この操作板の回転に連動して、分離板の中心側係合部を第１案内溝と第２案内溝とに係合させて案内するとともに、分離板の外周係合部を第３案内溝に沿って径方向外方に案内する移動が複合的に行われる。これにより、分離板を径方向外方に直線的に移動させた後、中心側係合部を第２案内溝に沿って弧状に外周に向かって移動させて、複数の分離板の互いに接していた辺の一方が案内板の外周方向に向くように案内板上で回動させることができる。従って、複数に分割されたカットケーキは、分離板を径方向に移動させた時点で分離され、その後の分離板の回動によって案内板の周囲の外方に並べて配置することができる。そのため、案内板を大きくすることなく、例えば、８等分したカットケーキを適切に分離して、一方の切断面が案内板の外周側に向いた状態で案内板の周囲に配置することができる。
【００１３】
また、前記分離板は、互いに接することで円形の載置面を形成する扇形に形成されており、前記中心側係合部及び前記外側係合部は、前記分離板の扇形の一辺の端部に配置され、前記中心側係合部は、前記分離板の中心から前記一辺の長さの１０〜３０％の範囲の位置に配置され、前記外側係合部は、前記分離板の中心位置から前記一辺の長さの６０〜８０％の範囲の位置に配置されていてもよい。このように構成すれば、操作板の回転に連動して、外側係合部の直線移動と、中心側係合部の外方へ向けての直線移動と、所定位置からの外周側に向けて弧状に移動する回動により、複数のカットケーキを適切に分離することができる。
【００１４】
また、前記中心側係合部は、前記第１案内溝と前記第２案内溝とに挿通されて係合する案内軸部と、前記第１案内溝から突出する先端部の係止部と、を有し、前記係止部は、前記第１案内溝及び前記第２案内溝の幅寸法よりも大きい寸法に形成されていてもよい。このように構成すれば、操作板の回転に連動して、分離板の中心側係合部を操作板の第１案内溝に沿って移動させながら案内板の第２案内溝に沿って移動させ、同時に外側係合部を案内板の第３案内溝に沿って移動させる時の分離板を、中心側係合部の係止部が第１案内溝の下面に接した状態で安定して移動させることができる。
【００１５】
また、前記第１案内溝及び前記第２案内溝は、前記操作板の中心側に前記係止部を挿通させる大きさに形成された挿通部を有していてもよい。このように構成すれば、分離板の中心側係合部を案内板の第２案内溝と操作板の第１案内溝に係合させることが容易にできる。そのため、分離板の着脱が容易に可能となる。
【００１６】
また、前記操作板は、前記案内板を所定の回転角度位置で保持する保持機構をさらに備えていてもよい。このように構成すれば、操作板を回転させて案内板が所定位置となった状態で、保持機構によってその回転角度位置を保持することができる。これにより、ホールケーキとなるスポンジケーキを回転させてクリームを塗る作業などを行うときに、案内板を定位置で保持することができる。
【００１７】
また、前記保持機構は、前記操作板に設けられた押圧部材と、前記案内板に設けられた受け部とを備え、前記押圧部材は、前記受け部を押圧するボールと、前記ボールを前記受け部に向けて付勢する付勢部材と、を有し、前記受け部は、前記ボールを保持する凹部を有していてもよい。このように構成すれば、操作板から案内板に向けて付勢されているボールが、案内板の凹部に保持されて、操作板と案内板との相対位置関係を所定位置で保持することができる。
【００１８】
一方、本発明に係るケーキ分離方法は、ホールケーキを切断したカットケーキを分離するケーキ分離方法であって、案内板の上部に載置された、互いに接することでホールケーキを載置する円形の載置面を形成するとともに、該ホールケーキから切断されるカットケーキの数に対応して複数に分割された扇形の分離板の上部で前記ホールケーキを等分に切断し、切断された前記カットケーキが載ったそれぞれの前記分離板を前記案内板に形成された溝に沿って径方向に外方へ移動させ、前記案内板の上部で所定位置まで径方向に移動させたそれぞれの前記分離板を、該分離板の一側方の外側部分の所定位置を支点にして中央部分を前記案内板に形成された溝に沿って外周に向かって弧状に同一方向に回動させることで、複数の前記分離板を前記案内板の外周部分に広げて配置する。
【００１９】
この構成により、カットケーキが載ったそれぞれの分離板を径方向外方に移動させた後、それぞれの分離板を一側方の所定位置を支点にして中央部分を弧状に同一方向へ回動させることで、複数の分離板の互いに接していた辺の一方が案内板の外周方向に向くように案内板上で回動させることができる。従って、複数に分割されたカットケーキは、分離板を径方向に移動させた時点で分離され、その後の分離板の回動によって案内板の周囲の外方に並べて配置することができる。そのため、案内板を大きくすることなく８等分したカットケーキを適切に分離して案内板の周囲に配置することができる。
【００２０】
また、前記案内板の下部に、前記分離板の中心部分を前記案内板の中央部分から外周部分に向けて案内する案内溝を設けた操作板を設け、前記操作板を回転させて前記分離板の中心部分を該操作板の案内溝に沿って移動させることによって、該分離板を径方向外方に向けて移動させた後、中心部分を径方向外方に向けて回動させて該案内板の周囲に広げて配置するようにしてもよい。このように構成すれば、操作板を回転させることで、その操作板の案内溝に沿って分離板の中心部分が移動し、この分離板の移動によって、分離板は案内板に設けられた溝に沿って径方向外方へ移動させられた後、一側方の外側部分の所定位置を支点にして中心部分が弧状に外周に向けて回動させられて、案内板の外周部分に広げて配置することができる。
【発明の効果】
【００２１】
本発明によれば、ホールケーキから多数に切断されたカットケーキを、機械的に適切に分離することが可能となる。
【図面の簡単な説明】
【００２２】
【図１】図１は、本発明の一実施形態に係るケーキ分離用回転台を示す側面図である。
【図２】図２は、図１に示す操作板の図面であり、（Ａ）は平面図、（Ｂ）は側面図である。
【図３】図３は、図２に示す操作板の保持機構の一例を示す部分拡大断面図である。
【図４】図４は、図１に示す案内板の平面図である。
【図５】図５は、図１に示す分離板の１つを示す図面であり、（Ａ）は平面図、（Ｂ）は側面図である。
【図６】図６は、図１に示す離脱防止板の平面図である。
【図７】図７は、図１に示すケーキ分離用回転台にホールケーキとなるスポンジケーキを載せる状態を示す斜視図である。
【図８】図８は、図１に示すケーキ分離用回転台によるカットケーキの分離を説明する図面であり、複数の分離板が互いに接して案内板の上部で円形に形成された分離前の状態を示す平面図である。
【図９】図９は、図８に続くカットケーキを分離する流れを示す図面であり、それぞれの分離板を径方向に移動させた状態を示す平面図である。
【図１０】図１０は、図９に続くカットケーキを分離する流れを示す図面であり、所定位置から分離板の中心側係合部を回動させる状態を示す平面図である。
【図１１】図１１は、図１０に続くカットケーキを分離する流れを示す図面であり、各分離板を案内板の周囲に広げた状態を示す平面図である。
【発明を実施するための形態】
【００２３】
以下、本発明の実施形態を図面に基づいて説明する。以下の実施形態では、円形のホールケーキを８等分に切断し、それぞれのカットケーキを分離する例を説明する。
【００２４】
（ケーキ分離用回転台の全体構成）
図１に示すように、この実施形態のケーキ分離用回転台１は、下部に支持部材たる支持脚２を有し、この支持脚２の上端部に設けられた支持軸３に、操作板１０と、案内板２０と、分離板３０とが重ねて設けられている。この実施形態では、上記操作板１０の下部に離脱防止板４０が設けられている。上記操作板１０の中心部には支持穴１１が設けられており、操作板１０は支持穴１１で上記支持軸３に支持されている。また、上記案内板２０の中心部には支持穴２１が設けられており、案内板２０は支持穴２１で上記支持軸３に支持されている。さらに、離脱防止板４０の中心部にも支持穴４１が設けられており、離脱防止板４０は支持穴４１で支持軸３に支持されている。これらの操作板１０、案内板２０及び離脱防止板４０は、支持軸３を同一中心として回転自在となっている。
【００２５】
このケーキ分離用回転台１は、スポンジケーキ６０にクリームを塗る作業や、クリームを塗ったホールケーキ６１を所定の大きさのカットケーキ６２に切断する作業などを効率よく行うための台である。ケーキ分離用回転台１は、作業者が、円柱形のスポンジケーキ６０を円形の載置面３１を形成した分離板３０の上部に載せ、支持脚２の上部で回転する操作板１０から上部を、操作レバー１４を手動で操作して一体的に回転させる。これにより、スポンジケーキ６０を回転させてクリームを塗ることができる。そして、クリームを塗ったホールケーキ６１は、回転させながら複数の所定寸法のカットケーキ６２に切断することができる。これらの作業は、操作板１０から上部を一体的に回転させて同一の場所で行うことができるので、作業者は体を大きく移動させることなくできる。
【００２６】
（操作板１０の構成）
図２（Ａ）に示すように、上記操作板１０は、外形が円形の平板材で形成されている。中心部に設けられた上記支持穴１１の周囲に、中心部から外周に向けて放射状に弧状の第１案内溝１２が設けられている。第１案内溝１２は、この実施形態では８本が等間隔で設けられている。これらの第１案内溝１２には、中央部分に、上記分離板３０の後述する中心側係合部３２の挿通部である挿入穴部１３が設けられている。この挿入穴部１３は、第１案内溝１２の幅寸法Ｗに対して大きい寸法で形成されている。
【００２７】
また、図２（Ｂ）に示すように、操作板１０の下面には、操作レバー１４が設けられている。操作レバー１４は、作業者が持って操作板１０を回転させるものであり、操作板１０の下面から下方に突出するように設けられている。操作レバー１４は、操作板１０の外周に近い位置に、８個が等間隔で設けられている。
【００２８】
図３に示すように、この実施形態の操作レバー１４は、４つの操作レバー１４に保持機構５０が備えられている。保持機構５０が備えられた操作レバー１４は、内部が中空部５１となっており、上端部に開口部５２が設けられている。この操作レバー１４の中空部５１に、ボール５３と、このボール５３を上記開口部５２から上記案内板２０に向けて付勢するバネ５４（付勢部材）が設けられている。ボール５３は、操作レバー１４の下部をボルト５５で閉じることで、バネ５４の付勢力によって案内板２０向けて付勢されている。このボール５３とバネ５４とが押圧部材であるが、押圧部材は他の構成でもよい。図では、ボール５３が案内板２０に設けられた受け部たる凹部２５（図４）に保持された状態を示している。この実施形態では、中心角の９０度ごとに、操作レバー１４が設けられている。案内板２０には、この操作レバー１４に対応し、中心角の９０度ごとに凹部２５が設けられている（図４）。
【００２９】
図３に示すように、開口部５２から突出しているボール５３の部分が案内板２０の凹部２５に嵌まり込むことにより、案内板２０に対する操作板１０の回転角度位置を保持することができる。ボール５３は、凹部２５に嵌まり込んでいない状態では、案内板２０を操作板１０から持ち上げた状態となる。このため、操作板１０を案内板２０に対して回転させるときの接触抵抗を軽減させることができる。その結果、操作板１０を小さい力で回転させることができる。
【００３０】
（案内板２０の構成）
図４は、案内板２０の平面図である。案内板２０は、外形が円形の平板材で形成されている。中心部に設けられた上記支持穴２１の周囲に、上記分離板３０を案内する第２案内溝２２と第３案内溝２３とが設けられている。第２案内溝２２は、中心部から外周に向けて放射状に設けられている。第２案内溝２２は、支持穴２１の周囲から径方向の所定位置まで放射状に延びる直線溝２２Ａと、所定位置から弧状に外周の近傍まで延びる円弧溝２２Ｂとからなっている。また、第３案内溝２３は、第２案内溝２２の円弧溝２２Ｂが始る位置に近接した位置から外周に向けて、径方向に延びる直線状の溝となっている。第３案内溝２３は、第２案内溝２２に比べて幅方向の寸法が大きい太い溝となっている。上記第２案内溝２２には、直線溝２２Ａの中央部分に、上記分離板３０の後述する中心側係合部３２の挿通部である挿入穴部２４が設けられている。この挿入穴部２４は、第２案内溝２２の幅寸法Ｗに対して大きい寸法で形成されている。
【００３１】
この案内板２０の下面に、上記操作板１０の上面から突出した保持機構５０のボール５３が嵌る凹部２５が９０度間隔で設けられている。従って、操作板１０が９０度回転するたびに保持機構５０のボール５３が凹部２５に嵌まり込んで、その位置を保持することができる。
【００３２】
（分離板３０の構成）
図５に示すように、上記分離板３０は、この実施形態では、８つを合せて円形となる扇形の板材で形成されている。各分離板３０は、それぞれの中心角が約４５°となる扇形状の平板材であり、８つの分離板３０を互いに隣接させると、支持脚２（図１）を中心とする円形の載置面３１が形成される（図７）。
【００３３】
それぞれの分離板３０には、中心側部分に位置する中心側係合部３２と、外側部分に位置する外側係合部３３とが設けられている。中心側係合部３２と外側係合部３３は、分離板３０の扇形となっている一方の辺に近接して配置されている。中心側係合部３２は、分離板３０の中心から一辺の長さの１０〜３０％の範囲の位置に配置することができる。また、外側係合部３３は、分離板３０の中心位置から一辺の長さの６０〜８０％の範囲の位置に配置することができる。
【００３４】
この実施形態の中心側係合部３２は、上記した案内板２０の第２案内溝２２の中心部分に設けられた挿入穴部２４と、操作板１０の第１案内溝１２の中心部分に設けられた挿入穴部１３とから挿入して、第２案内溝２２と第１案内溝１２とに係合する案内軸部３２Ａと、挿入穴部１３から下方に突出する先端部の係止部３２Ｂとを有している。案内軸部３２Ａは、第１案内溝１２及び第２案内溝２２と僅かな隙間を有する外径に形成されている。係止部３２Ｂは、第１案内溝１２及び第２案内溝２２の幅寸法Ｗよりも大きな外径に形成されている。すなわち、第１案内溝１２と第２案内溝２２の幅寸法Ｗは、全体的には案内軸部３２Ａの外径よりも広く、係止部３２Ｂの外径よりは狭くなっている。
【００３５】
また、外側係合部３３は、上記第３案内溝２３に挿入されて、この第３案内溝２３に係合して案内される大きさに形成されている。外側係合部３３は、第３案内溝２３と僅かな隙間を有する外径に形成されている。外側係合部３３は、第３案内溝２３の最外周部まで移動した後は、分離板３０の中心部分が回動する支点となる。
【００３６】
この分離板３０は、各分離板３０同士を隣接させて形成される円形の載置面３１に載せられているホールケーキ６１が、各分離板３０の大きさで切断される。そのため、分離板３０は各カットケーキ６２の底面形状と対応する形状になっており、各分離板３０に各カットケーキ６２がそれぞれ載置される。
【００３７】
また、分離板３０を上記した構造とすることで、分離板３０を案内板２０と操作板１０とに対して、容易に着脱することができる。これにより、ケーキに直接触れる分離板３０を容易に分解して洗浄を行うことができ、ケーキ分離用回転台１のサニタリー性を向上させることができる。
【００３８】
図６に示すように、離脱防止板４０は、平板材で形成された円形の部材であり、中心部に上記支持軸３に支持する支持穴４１が設けられている。この支持穴４１の周囲には、上記操作板１０の第１案内溝１２と同一の弧状の第４案内溝４２が放射状に設けられている。この第４案内溝４２は、上記第１案内溝１２と同じ幅寸法Ｗで形成されており、外周側が開放している。
【００３９】
この離脱防止板４０は、分離板３０の中心側係合部３２を案内板２０の挿入穴部２４及び操作板１０の挿入穴部１３に挿通させ、第１案内溝１２から下方に突出した案内軸部３２Ａの部分に係合させる。これにより、各分離板３０の中心側係合部３２が挿入穴部１３，２４の位置では離脱防止板４０の第４案内溝４２と係合し、分離板３０の中心側係合部３２におけるガタツキを防止できる。
【００４０】
（ホールケーキ６１の製造）
図７に示すように、以上のように構成されたケーキ分離用回転台１によれば、分離板３０を閉じてそれぞれの分離板３０が接した状態にした円形の載置面３１に、ホールケーキとなるスポンジケーキ６０が載せられる。そして、このスポンジケーキ６０に対してクリームを塗る作業などが行われてホールケーキ６１が製造される。その後、ホールケーキ６１は、このケーキ分離用回転台１の分離板３０上で、複数（８つ）のカットケーキ６２に切断される。このように分離板３０で円形の載置面３１を形成し、この上部でスポンジケーキ６０に対してクリームを塗ったり、カットケーキ６２への切断が行われる。
【００４１】
（カットケーキ６２の分離）
次に、図８〜図１１に基づいて、上記した分離板３０上で切断されたカットケーキ６２の分離について説明する。全ての分離板３０は、中心側係合部３２が操作板１０に設けられた８本の第１案内溝１２と係合しているため、操作板１０を回転させることで全ての分離板３０が同じ動作をするが、以下の説明では、説明の便宜上、８つのカットケーキ６２の内の１つを載せている分離板３０について説明する。また、これらの図では、第１案内溝１２、第２案内溝２２及び第３案内溝２３も、１本のみを示し、中心側係合部３２及び外側係合部３３を黒点で示している。
【００４２】
図８は、分離前の状態を示す平面図である。この状態では、分離板３０の中心側係合部３２が、案内板２０の第２案内溝２２と操作板１０の第１案内溝１２との中心部分に係合しており、外側係合部３３が案内板２０の第２案内溝２２の中心側に係合している。以下、この状態から案内板２０を保持し、操作板１０を回転させる。
【００４３】
図９は、上記図８の状態から操作板１０を回転させて、中心側係合部３２を第２案内溝２２の直線溝２２Ａから円弧溝２２Ｂに移る位置まで移動した状態を示している。分離板３０の中心側係合部３２は、操作板１０に設けられた弧状の第１案内溝１２に沿って移動するが、この中心側係合部３２は案内板２０の第２案内溝２２の直線溝２２Ａにも沿って移動するため、案内板２０の上部に載せられている分離板３０は直線溝２２Ａに沿って直線的に径方向外方へ移動する。この状態までは、各分離板３０は放射状に直線移動することになる。この状態では、分離板３０の外側係合部３３が第３案内溝２３の外周側端部に位置した状態となっている。
【００４４】
図１０は、上記図９の状態からさらに操作板１０を回転させて、分離板３０の中心側係合部３２を第２案内溝２２の円弧溝２２Ｂに沿って移動させた状態を示している。分離板３０の中心側係合部３２は、この移動時も操作板１０に設けられた弧状の第１案内溝１２に沿って移動するが、この中心側係合部３２は案内板２０の第２案内溝２２の円弧溝２２Ｂにも沿って移動するため、案内板２０の上部に載せられている分離板３０は円弧溝２２Ｂに沿って弧状に回動して外方へ移動する。この状態では、分離板３０の一側方に設けた外側係合部３３が第３案内溝２３の外周側端部に当接して支点となった状態で、分離板３０の中心側が案内板２０の外周に向けて回動し、第２案内溝２２の円弧溝２２Ｂの端部に当接して止まった状態である。この状態が、各分離板３０を案内板２０の外周位置に広げた状態である。
【００４５】
図１１は、上記図１０における動作が、８つの分離板３０の全てで同一方向に同時に行われて、全ての分離板３０が周囲に広がった状態を示す平面図である。上記した分離板３０の動作は、操作板１０に設けられた８本の第１案内溝１２と、案内板２０に設けられた８本の第２案内溝２２及び第３案内溝２３において同時に実行される。そのため、操作板１０を回転させることで、全ての分離板３０を同時に回動させて図１１に示す状態にできる。この状態が、各カットケーキ６２が互いに分離され、一方の切断面が作業者側（外方）に向くように配置された状態である。
【００４６】
また、上記したように保持機構５０を有しているため、案内板２０に対し相対的に回転させた操作板１０を所望の位置で停止させることができる。なお、所望の位置としては、例えば、スポンジケーキ６０に対してクリームを塗るときに、操作板１０に対して案内板２０を保持する位置などである。
【００４７】
また、図１１では、案内板２０に対して各分離板３０を最も外周まで移動させた状態を示しているが、各分離板３０の案内板２０に対する回転角度は任意に調整できるので、カットケーキ６２にフィルムを巻く作業時には、図１１に示す状態よりも各カットケーキ６２が離れた状態にして作業を行うこともできる。
【００４８】
このように、ホールケーキ６１を切断する前は、図７に示すように８つの分離板３０が互いに隣接させて支持軸３を中心とした円形となるように案内板２０の上面に配置される。そして、ホールケーキ６１がカットされた後、各分離板３０の移動に応じて、各カットケーキ６２は図１１に示すように、カットケーキ６２の一方の切断面が案内板２０の外方を向くように、案内板２０の外周部分に並べた配置へと分離され、カットケーキ６２の向きを変更することができる。
【００４９】
（総括）
以上のように、上記ケーキ分離用回転台１によれば、複数の分離板３０から形成された載置面３１上に載置されたスポンジケーキ６０を、支持脚２の支持軸３上で容易に回転させることができ、作業者は移動することなくホールケーキ６１を製造し、そのホールケーキの効率良く切断することができる。そして、切断した各カットケーキ６２は、その切断状態で径方向に広げた後、一方の切断面が案内板２０の外周側に向いた配置となるように回動させるケーキ分離方法によって、個々のカットケーキ６２を適切に分離してケーキ分離用回転台１の周囲に広げた配置とすることが可能となる。しかも、案内板２０の周囲に配置されたカットケーキ６２は切断面が案内板２０の外周側を向いた状態であるため、例えば、作業者はフィルムの合わせ目をこのカットケーキ６２の外周側に向いた切断面に位置させて、このフィルムをカットケーキ６２に巻きつけることができる。
【００５０】
従って、上記ケーキ分離用回転台１によれば、ホールケーキ６１を切断した後の各カットケーキ６２に対してフィルムを巻く作業や、個々のカットケーキ６２をトレーに並べる作業など、ホールケーキ６１から切断されたカットケーキ６２に対して各種加工作業を効率良く行うことができる。そのため、ホールケーキ６１から分割するカットケーキ６２を製造する生産効率の向上を図ることが可能となる。
【００５１】
また、各分離板３０は、中心側係合部３２を操作板１０に設けられた第１案内溝１２の挿入穴部１３と、案内板２０に設けられた第２案内溝２２の挿入穴部２４とが合った位置で上方へ抜くことで取り外すことができる。そのため、カットケーキ６２に直接接触する部分である分離板３０を分解洗浄することが容易にできる。これにより、ケーキ分離用回転台１のサニタリー性を高めることができる。
【００５２】
さらに、保持機構５０により、操作板１０から案内板２０に向けて付勢されたボール５３を案内板２０の凹部２５に嵌めて、案内板２０に対する操作板１０の回転を停止させることができる。このため、操作板１０に対して案内板２０とともに、その上部の分離板３０を所望の位置で停止させて保持し、種々の作業を行うことができる。
【００５３】
なお、上記した実施形態では、ホールケーキ６１を８等分する例を説明したが、１０等分する場合でも、６等分する場合でも対応でき、ホールケーキ６１の分割数は上記実施形態に限定されるものではない。
【００５４】
また、上記した実施形態では、所定高さの支持脚２を有する構成を例に説明したが、操作板１０と案内板２０とを回転可能に支持できる支持部があればよく、操作板１０と案内板２０とを回転可能に支持する構成は上記実施形態に限定されるものではない。
【００５５】
さらに、上記した実施形態は一例を示しており、本発明の要旨を損なわない範囲での種々の変更は可能であり、本発明は上記した実施形態に限定されるものではない。
【符号の説明】
【００５６】
１  ケーキ分離用回転台
３  支持軸
１０  操作板
１１  支持穴
１２  第１案内溝
１３  挿入穴部（挿通部）
１４  操作レバー
２０  案内板
２１  支持穴
２２  第２案内溝
２２Ａ  直線溝
２２Ｂ  円弧溝
２３  第３案内溝
２４  挿入穴部（挿通部）
２５  凹部（受け部）
３０  分離板
３１  載置面
３２  中心側係合部
３２Ａ  案内軸部
３２Ｂ  係止部
３３  外側係合部
４０  離脱防止板
５０  保持機構
５１  中空部
５２  開口部
５３  ボール
５４  バネ（付勢部材）
６０  スポンジケーキ
６１  ホールケーキ
６２  カットケーキ
【図１】
0006580473.tif 000002
【図２】
0006580473.tif 000003
【図３】
0006580473.tif 000004
【図４】
0006580473.tif 000005
【図５】
0006580473.tif 000006
【図６】
0006580473.tif 000007
【図７】
0006580473.tif 000008
【図８】
0006580473.tif 000009
【図９】
0006580473.tif 000010
【図１０】
0006580473.tif 000011
【図１１】
0006580473.tif 000012